(57)【特許請求の範囲】
【請求項１】
ＰＣ片持架設橋の柱頭部の構築方法において、
柱頭部の底部コンクリートの打設をしてから当該柱頭部の頂部コンクリートに本設のプレストレスを導入するまでの間、底部コンクリートに仮設のプレストレスを導入する仮設プレストレス導入工程を有することを特徴とする、
ＰＣ片持架設橋の柱頭部の構築方法。
【発明の詳細な説明】
【０００１】
【発明の属する技術分野】
本発明は、ポストテンション工法及び片持架設工法により構築されるプレストレストコンクリート橋（以下、ＰＣ片持架設橋という）の主桁のうち、橋脚の上方に位置する柱頭部の構築方法に関するもので、特に、底部コンクリートと頂部コンクリートとに分けてコンクリートを打設する場合における、ＰＣ片持架設橋の柱頭部の構築方法に関するものである。
【０００２】
【従来の技術】
従来のこの種のＰＣ片持架設橋における柱頭部の構築方法は、例えば、１日に打設できるコンクリート量は限られていることから、橋脚の上方に位置する箱桁たる柱頭部を底部及び頂部の２回に分けてコンクリートを打設し構築するというものであり、具体的には、橋脚の構築後に、橋脚の上側部に張り出したブラケット上に型枠支保工を設置して箱桁底部のコンクリートを打設し、養生後、更に箱桁内に型枠支保工を設置して箱桁頂部のコンクリートを打設し柱頭部を形成させた後、本設のＰＣ鋼材によるプレストレスを導入し当該柱頭部の断面内に引張応力を発生させないようにした上で、箱桁内の型枠支保工及びブラケット上の型枠支保工を解体し撤去するというものである。
【０００３】
従って、かかる柱頭部の構築方法により一旦柱頭部が構築されれば、当該柱頭部に型枠及び支保工が一体となった移動作業台車を据え付け、これを用いて柱頭部から両側に向かって片持部を張り出していくことができるから、片持部の張り出し完了後、直ちに側径間部及び中央部を施工することにより、ＰＣ片持架設橋の構築を円滑かつ迅速に完成させることが可能である。
【０００４】
【発明が解決しようとする課題】
しかしながら、ブラケット上の型枠支保工としては、２回目の頂部のコンクリート打設後、本設のＰＣ鋼材によるプレストレスを柱頭部に導入するまでの間、柱頭部の底部及び頂部を合わせた全コンクリート荷重を支え、しかも、橋脚の上側部から片持ちで張り出したブラケット式により当該荷重を支えるので、きわめて大がかりなものになり、このため施工が煩雑であり不経済であった（ブラケット式以外の支柱式や枠組式などの支保工もこれと同様に不都合があった）。
【０００５】
そこで、本発明の目的は、ブラケット式や支柱式などによる柱頭部の型枠支保工を飛躍的に縮小することができ、よって、効率的かつ経済的に行い得るＰＣ片持架設橋の柱頭部の構築方法を提供することにある。
【０００６】
【課題を解決するための手段】
上記目的を達成するため、本発明に係るＰＣ片持架設橋の柱頭部の構築方法は、従来のＰＣ片持架設橋の柱頭部の構築方法において、柱頭部の底部コンクリートの打設をしてから当該柱頭部の頂部コンクリートに本設のプレストレスを導入するまでの間、底部コンクリートに仮設のプレストレスを導入する仮設プレストレス導入工程を有することを特徴とするものである。
【０００７】
即ち、本発明は、柱頭部の底部コンクリートの打設をしてから当該柱頭部の頂部コンクリートに本設のプレストレスが導入されるまでの間、底部コンクリートに仮設のプレストレスを導入し、この底部コンクリートに頂部コンクリートの荷重を負担させることにより、従来、大がかりなものとなっていた柱頭部を支保するの型枠支保工を飛躍的に縮小させることができ、よって、効率的かつ経済的にＰＣ片持架設橋の柱頭部の構築を行うことが可能になる。
【０００８】
【発明の実施の形態】
以下、添付図面に示す実施の形態に基づいてこの発明を詳細に説明する。
【０００９】
図１及び図２は本実施の形態に係るＰＣ片持架設橋の柱頭部の構築方法を示す概略側面図であって、図１は縦側面図、図２は横側面図を示している。
【００１０】
これらの図において、符号１は、このＰＣ片持架設橋の箱桁（主桁）を橋の中間において支える橋脚、符号２は、橋脚１の構築が完成した後、まず最初に構築される箱桁の柱頭部、符号３は、橋脚１の上側部に固設されたブラケットユニットであって、鉛直部材３ａ、傾斜部材３ｂ、水平部材３ｃ、及び井桁部材３ｄで構成されている。
【００１１】
また、符号４は、このブラケットユニット３上に設置され、柱頭部２を支保する底部型枠支保工、符号５は、前記ブラケットユニット３上であって柱頭部２の周囲に設置され、柱頭部２の外側部分の型枠の組立、解体などを行うビティー足場、符号６は、底部コンクリート２ａの上でかつ箱桁の内部に設置され、頂部コンクリート２ｂの頂板部分の支保や、柱頭部２の内側部分の型枠の組立、解体などを行う桁内型枠支保工、符号７は、型枠及び支保工が一体となった移動作業台車たるトラベラー、を示している。
【００１２】
更に、符号８は、底部コンクリート２ａに仮設のプレストレスを導入するための仮設のＰＣ鋼棒、符号９は、頂部コンクリート２ｂに本設のプレストレスを導入するための本設のカンチレバーケーブル、を示している。
【００１３】
本実施の形態において、柱頭部２は、桁高の高い箱桁であるゆえ柱頭部２のコンクリート量がかなり多いのに対し、１日に打設できるコンクリート量は限られていることから、底部コンクリート２ａ及び頂部コンクリート２ｂの２回に分けて施工される。
【００１４】
また、仮設のＰＣ鋼棒８は、図３に示すように、上部ＰＣ鋼棒８ａ、中央部ＰＣ鋼棒８ｂ、及び下部ＰＣ鋼棒８ｃからなり、かつ、シース１１内に設置されるものであり、これにより、底部コンクリート２ａの打設後直ちに仮設のプレストレスが導入される。
【００１５】
次に、本実施の形態に係るＰＣ片持架設橋の柱頭部の構築方法を図１乃至図３を用いて説明する。
【００１６】
（ａ）底部コンクリートの施工
先ず、橋脚１の構築が完成した後、橋脚１の上側部にブラケットユニット３が架構され、このブラケットユニット３の井桁部材３ｄ上に底部型枠支保工４及びビティー足場５が設置される。
【００１７】
この底部型枠支保工４は、柱頭部２のすべてのコンクリート荷重を支える必要はなく、底部コンクリート２ａの荷重のみを支えることが可能であれば足りるので、設置が容易かつ迅速に行うことが可能である。
【００１８】
そして、この底部型枠支保工４の頂部の型枠板の上において鉄筋が組み立てられ、あらかじめＰＣ鋼棒８を挿入すべきシース１１が配置された後、コンクリートポンプ車（図示外）の利用により底部コンクリート２ａが打設される。
【００１９】
（ｂ）仮設プレストレス導入、底部型枠支保工解体
次いで、この底部コンクリート２ａの養生中に、前記シース１１内にＰＣ鋼棒８が挿入され、当該底部コンクリート２ａが所定の強度に達したことを確認した上で、当該ＰＣ鋼棒８の端部に切られたねじの利用によりＰＣ鋼棒８を緊張させ、これにより、底部コンクリート２ａに所定の大きさの仮設のプレストレスが導入されるのである。
【００２０】
そして、この仮設のプレストレスが導入された後、底部コンクリート２ａを支えていたブラケットユニット３上の底部型枠支保工４が解体される。
【００２１】
このとき、片持状態の底部コンクリート２ａに自重が付与されるが、当該自重による引張応力が断面内に生じないように仮設のプレストレスが導入されているので、当該底部コンクリート２ａに撓みやひび割れが発生することはない。
【００２２】
（ｃ）頂部コンクリートの施工
次に、箱桁の内部であって底部コンクリート２ａの上に、頂部コンクリート２ｂを支保する桁内型枠支保工６が設置される。この桁内型枠支保工６は、頂部コンクリート２ｂの荷重のみを支えれば足りるので、設置が比較的容易である。
【００２３】
そして、この桁内型枠支保工６の頂板の上において鉄筋が組み立てられ、あらかじめカンチレバーケーブル９を挿入すべきシース（図示外）が配置された後、コンクリートポンプ車（図示外）の利用により頂部コンクリート２ｂが打設される。
【００２４】
このとき、桁内型枠支保工６の荷重、頂部コンクリート２ｂの荷重、及び底部コンクリート２ａの自重が当該片持状態の底部コンクリート２ａに付与されるが、当該荷重等による引張応力が断面内に生じないように仮設のプレストレスが導入されているので、当該底部コンクリート２ａに撓みやひび割れが発生することはない。
【００２５】
（ｄ）本設プレストレス導入、仮設プレストレス解放
そして、この頂部コンクリート２ｂの養生中に、シース内にカンチレバーケーブル９が挿入され、当該底部コンクリート２ａが所定の強度に達したことを確認した上で、当該カンチレバーケーブル９の端部に油圧ジヤッキ（図示外）を取り付け、この油圧ジヤッキの利用によりカンチレバーケーブル９を緊張させ、これにより、頂部コンクリート２ｂに所定の大きさの本設のプレストレスが導入されることになる。
【００２６】
そして、この本設のプレストレスが導入された後、底部コンクリート２ａに導入されていた仮設のプレストレスが解放され、これにより、柱頭部２の構築が完成する。尚、柱頭部２の構築が完成した後、当該柱頭部２に型枠及び支保工が一体となったトラベラー７が据え付けられ、円滑かつ迅速な片持部の施工が図られることになる。
【００２７】
従って、本実施の形態に係るＰＣ片持架設橋の柱頭部の構築方法によれば、柱頭部２の頂部コンクリート２ｂの施工前から頂部コンクリート２ｂの打設が完了して本設のプレストレスが導入されるまでの間、底部コンクリート２ａに仮設のプレストレスを導入し、この底部コンクリート２ａに、自重のほかに頂部コンクリート２ｂの張出し床版の荷重を除くすべての荷重を負担させることとしたので、従来、大がかりなものとなっていた底部型枠支保工４を飛躍的に縮小させることができ、その結果、効率的かつ経済的に当該構築を行うことが可能になる。
【００２８】
【発明の効果】
以上説明したように、本発明に係るＰＣ片持架設橋の柱頭部の構築方法によれば、従来のＰＣ片持架設橋の柱頭部の構築方法において、柱頭部の底部コンクリートの打設をしてから当該柱頭部の頂部コンクリートに本設のプレストレスを導入するまでの間、底部コンクリートに仮設のプレストレスを導入する仮設プレストレス導入工程を有することとしたので、ブラケット式や支柱式などによる柱頭部の型枠支保工を飛躍的に縮小することができ、よって、効率的かつ経済的な当該構築方法が実現できる。
【図面の簡単な説明】
【図１】本発明の一実施の形態に係るＰＣ片持架設橋の柱頭部の構築方法を示す概略縦側面図である。
【図２】本発明の一実施の形態に係るＰＣ片持架設橋の柱頭部の構築方法を示す概略横側面図である。
【図３】本発明の一実施の形態に係るＰＣ片持架設橋の柱頭部（仮設のＰＣ鋼棒）を示す概略断面図である。
【符号の説明】
１…橋脚
２…柱頭部
２ａ…底部コンクリート
２ｂ…頂部コンクリート
３…ブラケットユニット
３ａ…鉛直部材
３ｂ…傾斜部材
３ｃ…水平部材
３ｄ…井桁部材
４…底部型枠支保工
５…ビティー足場
６…桁内型枠支保工
７…トラベラー
８…ＰＣ鋼棒
８ａ…上部ＰＣ鋼棒
８ｂ…中央部ＰＣ鋼棒
８ｃ…下部ＰＣ鋼棒
９…カンチレバーケーブル
１１…シース
【図１】
0003831499.tif 000002
【図２】
0003831499.tif 000003
【図３】
0003831499.tif 000004